(57)【要約】      （修正有）【課題】電源供給器の全体電力を有効にオン・オフ可能であり、スイッチの体積およびコストを低減し、且つ大電流を切り替えているときにユーザの感電を回避する。【解決手段】電源供給器のオン・オフを制御し、前記電源供給器は、入力電力を取るためのメーン電力系統と、前記入力電力を接収する常備電力系統と、を含む電源オン・オフ制御構築において、前記常備電力系統は、電圧測定ユニット４１と、常備電力出力ユニット４２と、電源管理ユニット４３と、リモート起動スイッチ６と、論理信号スイッチ７と、を含み、前記電圧測定ユニットは、前記入力電力を取って正常電圧範囲を設定するものであり、前記正常電圧範囲内にあり前記入力電力を代表する駆動信号を発生し、前記常備電力出力ユニットは、前記入力電力および駆動信号を取って常備電力に変換して出力する。【選択図】図２
0003138263.tif 000002
【実用新案登録請求の範囲】
【請求項１】
電源供給器のオン・オフを制御し、前記電源供給器は、入力電力を取るためのメーン電力系統と、前記入力電力を接収する常備電力系統と、を含む電源オン・オフ制御構築において、
前記常備電力系統は、電圧測定ユニット（４１）と、常備電力出力ユニット（４２）と、電源管理ユニット（４３）と、リモート起動スイッチ（６）と、論理信号スイッチ（７）と、を含み、
前記電圧測定ユニット（４１）は、前記入力電力を取って正常電圧範囲を設定するものであり、前記正常電圧範囲内にあり前記入力電力を代表する駆動信号を発生し、
前記常備電力出力ユニット（４２）は、前記入力電力および駆動信号を取って常備電力に変換して出力し、
前記電源管理ユニット（４３）は、前記リモート起動スイッチ（６）を触発することにより前記常備電力を取ってリモート起動信号を出力するものであり、前記メーン電力系統の起動および出力を駆動可能であり、
前記論理信号スイッチ（７）は、前記電圧測定ユニット（４１）と電気的に連接し、切替状態により前記駆動信号は、前記常備電力出力ユニット（４２）に伝送され、又は強制的に切られることを特徴とする、
電源オン・オフ制御構築。
【請求項２】
前記メーン電力系統は、メーンパルス変調ユニット（３１）と、変圧ユニット（３２）と、整流出力ユニット（３３）と、を含み、
前記メーンパルス変調ユニット（３１）は、前記リモート起動信号を接収して起動され、且つ第一周期信号を出力し、
前記変圧ユニット（３２）は、その出力が前記第一周期信号に制御され、
前記整流出力ユニット（３３）は、前記変圧ユニット（３２）と電気的に連接することを特徴とする、請求項１に記載の電源オン・オフ制御構築。
【請求項３】
前記電圧測定ユニット（４１）は、
前記正常電圧範囲の下限を設定する過低電圧保護ユニット（４１１）と、
前記正常電圧範囲の上限を設定する過高電圧保護ユニット（４１２）と、
前記入力電力が前記正常電圧範囲内にあると駆動信号を出力するラッチユニット（４１３）と、を含むことを特徴とする、請求項１に記載の電源オン・オフ制御構築。
【請求項４】
前記ラッチユニット（４１３）は前記論理信号スイッチ（７）の第一端と電気的に連接しており、前記論理信号スイッチ（７）の第二端はアース端と電気的に連接していることを特徴とする、請求項３に記載の電源オン・オフ制御構築。
【請求項５】
前記ラッチユニット（４１３）は前記論理信号スイッチ（７）の第一端と電気的に連接しており、前記論理信号スイッチ（７）の第二端は前記常備電力出力ユニット（４２）と電気的に連接していることを特徴とする、請求項３に記載の電源オン・オフ制御構築。
【請求項６】
前記常備電力出力ユニット（４２）は、更に、補助パルス変調ユニットと、常備系統変圧ユニットと、を含み、
前記補助パルス変調ユニットは、前記駆動信号に触発されて第二周期信号を発生し、
前記常備系統変圧ユニットは、前記第二周期信号を接収して常備電力の出力を調整することを特徴とする、請求項１に記載の電源オン・オフ制御構築。
【請求項７】
前記論理信号スイッチ（７）は前記電源供給器のケースに設けられることを特徴とする、請求項１に記載の電源オン・オフ制御構築。
【考案の詳細な説明】
【技術分野】
【０００１】
本考案は、電源供給器に適用可能の電源オン・オフ制御構築に関するものである。
【背景技術】
【０００２】
目下、各種類の電子装置の発展に従って、各種類の電源供給器も引き続き発展され、電源供給器により安定な電力が電子装置に供給可能になり、なお、従来の電源供給器の構築は、図１に示すように、スイッチユニット５と、平滑整流ユニット１と、力率矯正ユニット２とを有し、前記力率矯正ユニット２の後端がメーン電力系統および常備電力系統と電気的に連接しており、前記スイッチユニット５が電流通過可能の状態にあるときに、電源供給器は入力電力を取って前記入力電力が平滑整流ユニット１と力率矯正ユニット２とを通過し、前記力率矯正ユニット２により前記入力電力の電流の位相が調整されてメーン電力系統および常備電力系統に供給され、前記メーン電力系統は、メーンパルス変調ユニット３１と、変圧ユニット３２と、整流出力ユニット３３と、を含み、前記メーンパルス変調ユニット３１のオン・オフが前記常備電力系統に制御され、前記常備電力系統は、電圧測定ユニット４１と、常備電力出力ユニット４２と、電源管理ユニット４３と、リモート起動スイッチ６と、を含み、ユーザが前記リモート起動スイッチ６を触発すると、前記電源管理ユニット４３がリモート起動信号（Ｖｃｃ）を発生して前記メーンパルス変調ユニット３１を駆動し、これにより、前記メーン電力系統が起動されて電力を出力するようになり、しかしながら、従来の電源供給器は、前記スイッチユニット５が電流通過可能の状態にならないと、入力電力を取ることができなく、且つ前記スイッチユニット５の実施態様は、一ナイフスイッチでもいいし、二ナイフスイッチでもよく、現在の電源供給器のパワーがどんどん大きくなるため、スイッチユニット５は大電流を耐えなければならなく、だから、スイッチユニット５の体積および生産コストが増加し、且つスイッチユニット５が切替えているときに火花が発生する可能性はあり、そして環境の湿度が高すぎ、又はユーザの手が湿ると、感電の虞がある。
【考案の開示】
【考案が解決しようとする課題】
【０００３】
本考案の主な目的は、電源供給器の全体電力を有効にオン・オフ可能であり、スイッチの体積およびコストを低減可能であり、且つ大電流を切り替えているときにユーザの感電を回避可能である電源オン・オフ制御構築を提供することにある。
【課題を解決するための手段】
【０００４】
上記目的を達成するためになされた本願の考案は、電源供給器のオン・オフを制御し、前記電源供給器は、入力電力を取るためのメーン電力系統と、前記入力電力を接収する常備電力系統と、を含む電源オン・オフ制御構築において、前記常備電力系統は、電圧測定ユニットと、常備電力出力ユニットと、電源管理ユニットと、リモート起動スイッチと、論理信号スイッチと、を含み、前記電圧測定ユニットは、前記入力電力を取って正常電圧範囲を設定するものであり、前記正常電圧範囲内にあり前記入力電力を代表する駆動信号を発生し、前記常備電力出力ユニットは、前記入力電力および駆動信号を取って常備電力に変換して出力し、前記電源管理ユニットは、前記リモート起動スイッチを触発することにより前記常備電力を取ってリモート起動信号を出力するものであり、前記メーン電力系統の起動および出力を駆動可能であり、前記論理信号スイッチは、前記電圧測定ユニットと電気的に連接し、切替状態により前記駆動信号は、前記常備電力出力ユニットに伝送され、又は強制的に切られることを特徴とする電源オン・オフ制御構築であることを要旨としている。
【０００５】
本願の考案では、前記メーン電力系統は、メーンパルス変調ユニットと、変圧ユニットと、整流出力ユニットと、を含み、前記メーンパルス変調ユニットは、前記リモート起動信号を接収して起動され、且つ第一周期信号を出力し、前記変圧ユニットは、その出力が前記第一周期信号に制御され、前記整流出力ユニットは、前記変圧ユニットと電気的に連接することを特徴とする請求項１に記載の電源オン・オフ制御構築であることを要旨としている。
【０００６】
本願の考案では、前記電圧測定ユニットは、前記正常電圧範囲の下限を設定する過低電圧保護ユニットと、前記正常電圧範囲の上限を設定する過高電圧保護ユニットと、前記入力電力が前記正常電圧範囲内にあると駆動信号を出力するラッチユニットと、を含むことを特徴とする請求項１に記載の電源オン・オフ制御構築であることを要旨としている。
【０００７】
本願の考案では、前記ラッチユニットは前記論理信号スイッチの第一端と電気的に連接しており、前記論理信号スイッチの第二端はアース端と電気的に連接していることを特徴とする請求項３に記載の電源オン・オフ制御構築であることを要旨としている。
【０００８】
本願の考案では、前記ラッチユニットは前記論理信号スイッチの第一端と電気的に連接しており、前記論理信号スイッチの第二端は前記常備電力出力ユニットと電気的に連接していることを特徴とする請求項３に記載の電源オン・オフ制御構築であることを要旨としている。
【０００９】
本願の考案では、前記常備電力出力ユニットは、更に、補助パルス変調ユニットと、常備系統変圧ユニットと、を含み、前記補助パルス変調ユニットは、前記駆動信号に触発されて第二周期信号を発生し、前記常備系統変圧ユニットは、前記第二周期信号を接収して常備電力の出力を調整することを特徴とする請求項１に記載の電源オン・オフ制御構築であることを要旨としている。
【００１０】
本願の考案では、前記論理信号スイッチは前記電源供給器のケースに設けられることを特徴とする請求項１に記載の電源オン・オフ制御構築であることを要旨としている。
【考案の効果】
【００１１】
本考案の電源オン・オフ制御構築によれば、電源供給器の全体電力を有効にオン・オフ可能であり、スイッチの体積およびコストを低減可能であり、且つ大電流を切り替えているときにユーザの感電を回避可能である効果を有する。
【考案を実施するための最良の形態】
【００１２】
以下、添付図面を参照して本考案の好適な実施の形態を詳細に説明する。
【００１３】
まず、図２を参照する。図２は本考案の構築のブロック図である。本考案は、メーン電力系統および常備電力系統を有する電源供給器に適用可能であり、前記電源供給器は、更に、入力電力を取る平滑整流ユニット１と、前記入力電力の電流の位相を調整する力率矯正ユニット２とを有し、前記入力電力は、力率矯正ユニット２を通過して、メーン電力系統および常備電力系統に伝送され、前記電源供給器は電力を変換してメーン電力出力と常備電力出力とを供給可能であり、前記メーン電力系統は、メーンパルス変調ユニット３１と、変圧ユニット３２と、整流出力ユニット３３と、を含み、前記メーンパルス変調ユニット３１は、リモート起動信号（Ｖｃｃ）を接収して起動され、且つ第一周期信号を出力し、前記第一周期信号により前記変圧ユニット３２の出力のパワーが調整されて前記整流出力ユニット３３を経由してロードを駆動し、なお、前記常備電力系統は、電圧測定ユニット４１と、常備電力出力ユニット４２と、電源管理ユニット４３と、リモート起動スイッチ６と、を含み、前記電圧測定ユニット４１は、前記入力電力を取って正常電圧範囲を設定し、前記正常電圧範囲により、入力電力の電圧が正常であるかどうかを判断可能であり、且つ入力電力の電圧が前記正常電圧範囲内にあると駆動信号を発生し、前記常備電力出力ユニット４２は、前記入力電力を取って前記駆動信号に触発されたと、前記入力電力を常備電力に変換して出力可能であり、前記リモート起動スイッチ６は常時にオフ状態にあり、ユーザが前記リモート起動スイッチ６を触発すると、電源管理ユニット４３は、前記リモート起動スイッチ６がオン状態にあることにより前記常備電力を取ってリモート起動信号（Ｖｃｃ）を出力し、前記モート起動信号（Ｖｃｃ）がメーン電力系統のメーンパルス変調ユニット３１に伝送されて、メーンパルス変調ユニット３１が第一周期信号を発生し、これにより、メーン電力系統が触発されて起動し出力するようになり、なお、本考案は、更に、論理信号スイッチ７が設けてあり、前記論理信号スイッチ７の切替状態により、前記駆動信号は、前記常備電力出力ユニット４２に伝送され、又は強制的に切られ、前記論理信号スイッチ７は、前記電圧測定ユニット４１を制御することにより、前記電圧測定ユニット４１の前記駆動信号の出力を強制的に切らせ可能であり、前記論理信号スイッチ７により前記駆動信号の出力が強制的に切られた場合には、前記常備電力出力ユニット４２は常備電力を発生不能になり、だから、前記リモート起動スイッチ６を触発しても、電源管理ユニット４３はモート起動信号（Ｖｃｃ）を出力することができなく、ひいてはメーン電力系統および常備電力系統は起動不能になり、これにより、前記電源供給器のオン・オフを制御する目的を達成でき、また、前記駆動信号は、電圧および電流がより小さい論理信号であるので、ユーザの感電の可能性は殆どなく、前記論理信号スイッチ７は、小型のスイッチを使用しても、前記論理信号を遮断し、または通過可能にすることができ、これにより、スイッチの体積および生産コストを低減可能である。
【００１４】
次に、図３を参照する。前記電圧測定ユニット４１は、前記正常電圧範囲の下限を設定する過低電圧保護ユニット４１１と、前記正常電圧範囲の上限を設定する過高電圧保護ユニット４１２と、ラッチユニット４１３と、を含み、入力電力が前記正常電圧範囲を外れると過低電圧保護ユニット４１１又は過高電圧保護ユニット４１２の保護メカニズムが起動不能になり、なお、入力電力が前記正常電圧範囲内にあると、過低電圧保護ユニット４１１および過高電圧保護ユニット４１２により前記ラッチユニット４１３が一定の電位を持つ駆動信号を出力して前記常備電力出力ユニット４２を起動し、また、前記リモート起動スイッチ６が電流通過可能の状態になるので、電源管理ユニット４３が常備電力を取ってモート起動信号（Ｖｃｃ）を出力するようになり、また、前記論理信号スイッチ７の第一端が前記ラッチユニット４１３と電気的に連接しており、前記論理信号スイッチ７の第二端がアース端と電気的に連接しており、前記ラッチユニット４１３および前記アース端を電流通過可能にすることにより、前記論理信号スイッチ７は前記ラッチユニット４１３の駆動信号を前記アース端に伝送可能であり、これにより、前記駆動信号の前記常備電力出力ユニット４２への伝送が強制的に遮断され、前記電源供給器をオフする目的を達成可能であり、また、前記駆動信号の電圧および電流がより小さいので、ユーザの感電の可能性は殆どなく、切替えているときに火花を低減可能であり、スイッチの体積および生産コストを低減可能である。
【００１５】
本考案を説明するために実施例を挙げたが、勿論、本考案は上記の実施例に限定されない。例えば前記論理信号スイッチ７の第一端が前記電圧測定ユニット４１のラッチユニット４１３と電気的に連接しており、前記論理信号スイッチ７の第二端が常備電力出力ユニット４２と電気的に連接しており、前記論理信号スイッチ７の切替位置により、駆動信号の前記常備電力出力ユニット４２への通路が電流通過可能にし、または遮断され、前記常備電力出力ユニット４２は、更に、第二周期信号を発生する補助パルス変調ユニット（図示せず）と、前記第二周期信号を受けて出力を調整する常備系統変圧ユニット（図示せず）と、を含み、前記駆動信号は、前記補助パルス変調ユニット（図示せず）の起動を制御し、ひいては前記常備電力出力ユニット４２の出力を起動し、又は遮断し、且つユーザの使用を便利にするために、前記論理信号スイッチ７が電源供給器のケースに設けられる。
【００１６】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１７】
【図１】従来の電源供給器の構築のブロック図である。
【図２】本考案の構築のブロック図である。
【図３】本考案の構築の実施の詳細を示すブロック図である。
【符号の説明】
【００１８】
１        平滑整流ユニット
２        力率矯正ユニット
５        スイッチユニット
６        リモート起動スイッチ
７        論理信号スイッチ
３１      メーンパルス変調ユニット
３２      変圧ユニット
３３      整流出力ユニット
４１      電圧測定ユニット
４２      常備電力出力ユニット
４３      電源管理ユニット
４１１    過低電圧保護ユニット
４１２    過高電圧保護ユニット
４１３    ラッチユニット
【図１】
0003138263.tif 000003
【図２】
0003138263.tif 000004
【図３】
0003138263.tif 000005